(57)【要約】【課題】  送信時の伝送損失を低減しつつ、かつ送信部から受信部への電力漏洩を低減することができるアンテナダイバーシチ回路を提供すること。【解決手段】  アンテナダイバーシチ回路は、電波を送信または受信するための第１のアンテナ１と、第１のアンテナ１に接続された共通端子ｃｏｍ１と２つの切換端子ｂ１，ａ１とを有する第１の高周波信号切換スイッチ１１と、第１の高周波信号切換スイッチ１１の切換端子ｂ１に接続された送信部２１と、第１の高周波信号切換スイッチ１１の切換端子ａ１に接続された第２の高周波信号切換スイッチ１２と、第２の高周波信号切換スイッチ１２の切換端子ｂ２に接続された電波を受信するための第２のアンテナ２と、第２の高周波信号切換スイッチ１２の共通端子ｃｏｍ２に接続された受信部２２とを備える。【選択図】  図１
2005033677.tif 000002
【特許請求の範囲】
【請求項１】
接続される二つのアンテナから電波を受信すべき一つのアンテナを選択して、ダイバーシチ受信するためのアンテナダイバーシチ回路であって、
第１のアンテナと送信部とを接続するための第１のスイッチ回路と、
受信部と前記第１のスイッチ回路または第２のアンテナとの接続を切り換えるための第２のスイッチ回路とを備え、
前記第１のアンテナから電波を受信する場合、前記第１のスイッチ回路は、前記第１のアンテナと前記第２のスイッチ回路とを接続し、前記第２のスイッチ回路は、前記第１のスイッチ回路と前記受信部とを接続し、
前記第２のアンテナから電波を受信する場合、前記第２のスイッチ回路は、前記第２のアンテナと前記受信部とを接続し、
電波を送信する場合、前記第１のスイッチ回路は、前記第１のアンテナと前記送信部とを接続し、前記第２のスイッチ回路は、前記第１のスイッチ回路と前記受信部とを接続しないことを特徴とする、アンテナダイバーシチ回路。
【請求項２】
前記第２のスイッチ回路は、電波を送信するときに前記第２のアンテナを無反射終端させるための無反射終端手段を含む、請求項１に記載のアンテナダイバーシチ回路。
【請求項３】
前記第２のスイッチ回路は、電波を送信するときに前記受信部を無反射終端させるための無反射終端手段を含む、請求項１に記載のアンテナダイバーシチ回路。
【請求項４】
前記第２のスイッチ回路は、前記受信部を接続するための受信部用スイッチと、前記第２のアンテナを接続するための第２のアンテナ用スイッチとを含む、請求項１に記載のアンテナダイバーシチ回路。
【請求項５】
前記第１のスイッチ回路は、前記第１のアンテナが接続される共通端子と、前記送信部が接続される切換端子と、前記第２のスイッチ回路が接続される切換端子とを有する高周波信号切換スイッチであり、
前記第２のスイッチ回路は、前記受信部が接続される共通端子と、前記第２のアンテナが接続される切換端子と、前記第１のスイッチ回路が接続される切換端子とを含む高周波信号切換スイッチである、請求項１に記載のアンテナダイバーシチ回路。
【請求項６】
前記第１のスイッチ回路は、前記第１のアンテナが接続される共通端子と、前記送信部が接続される切換端子と、前記第２のスイッチ回路が接続される切換端子とを有する第１の高周波信号切換スイッチであり、
前記第２のスイッチ回路は、第２および第３の高周波信号切換スイッチを含み、
前記第２の高周波信号切換スイッチは、前記受信部が接続される共通端子と、前記第１のスイッチ回路が接続される切換端子と、第３の高周波信号切換スイッチが接続される切換端子とを有し、
前記第３の高周波信号切換スイッチは、前記第２のアンテナが接続される共通端子と、前記第２の高周波信号切換スイッチが接続される切換端子と、無反射終端部が接続される切換端子とを有し、
前記第３の高周波信号切換スイッチは、電波を送信するときに前記第２のアンテナが接続される共通端子と無反射終端部が接続される切換端子とを接続する、請求項１に記載のアンテナダイバーシチ回路。
【請求項７】
前記第１のスイッチ回路は、前記第１のアンテナが接続される共通端子と、前記送信部が接続される切換端子と、前記第２のスイッチ回路が接続される切換端子とを有する第１の高周波信号切換スイッチであり、
前記第２のスイッチ回路は、第２および第３の高周波信号切換スイッチを含み、
前記第２の高周波信号切換スイッチは、前記受信部が接続される共通端子と、前記第１のスイッチ回路が接続される切換端子と、第３の高周波信号切換スイッチが接続される切換端子とを有し、
前記第３の高周波信号切換スイッチは、前記第２の高周波信号切換スイッチが接続される共通端子と、前記第２のアンテナが接続される切換端子と、無反射終端部が接続される切換端子とを有し、
電波を送信するとき、前記第２の高周波信号切換スイッチは、前記受信部が接続される共通端子と前記第３の高周波信号切換スイッチが接続される切換端子とを接続し、前記第３の高周波信号切換スイッチは、前記第２の高周波信号切換スイッチが接続される共通端子と前記無反射終端部が接続される切換端子とを接続する、請求項１に記載のアンテナダイバーシチ回路。
【発明の詳細な説明】
【技術分野】
【０００１】
本発明は、アンテナと送受信装置とを接続するためのアンテナ回路に関し、より特定的には、ダイバーシチ受信を行うための無線送受信機およびシステムにおいて用いられ、送受信される高周波信号の伝送性能を改善するためのアンテナダイバーシチ回路に関する。
【背景技術】
【０００２】
図１０は、従来のアンテナダイバーシチ回路の構成を示すブロック図である。図１０において、従来のアンテナダイバーシチ回路は、第１のアンテナ１０１と、第２のアンテナ１０２と、第１の高周波信号切換スイッチ１１１と、第２の高周波信号切換スイッチ１１２と、送信部１２１と、受信部１２２とを備える（特許文献１参照）。
【０００３】
第１の高周波信号切換スイッチ１１１は、二つの切換端子Ａ１，Ｂ１と共通端子ＣＯＭ１とを有し、いわゆる３ステートのスイッチである。第２の高周波信号切換スイッチ１１２は、二つの切換端子Ａ２，Ｂ２と共通端子ＣＯＭ２とを有し、第１の高周波信号切換スイッチ１１１同様、いわゆる３ステートのスイッチである。第１および第２の高周波信号切換スイッチ１１１，１１２は、制御回路（図示せず）からの指示に応じて、スイッチングされる。
【０００４】
切換端子Ａ１には、第１のアンテナ１０１が接続されている。切換端子Ｂ１には、第２のアンテナ１０２が接続されている。共通端子ＣＯＭ１は、第１の高周波信号切換スイッチ１１２の共通端子ＣＯＭ２と接続されている。切換端子Ａ２には、受信部１２２が接続されている。切換端子Ｂ２には、送信部１２１が接続されている。
【０００５】
第１のアンテナ１０１は、送受信兼用のアンテナである。第２のアンテナ１０２は、受信専用のアンテナである。
【０００６】
電波を送信する場合、制御回路は、切換端子Ａ１と共通端子ＣＯＭ１とが接続されるように第１の高周波信号切換スイッチ１１１をスイッチングし、切換端子Ｂ２と共通端子ＣＯＭ２とが接続されるように第２の高周波信号切換スイッチ１１２をスイッチングする。これにより、第１のアンテナ１０１から電波が出力される。
【０００７】
電波を受信する場合、制御回路は、電波の受信強度や指向性等に応じて、第１のアンテナ１０１から電波を受信するか、それとも第２のアンテナ１０２から電波を受信するか決定する。第１のアンテナ１０１から電波を受信する場合、制御回路は、切換端子Ａ１と共通端子ＣＯＭ１とが接続されるように第１の高周波信号切換スイッチ１１１をスイッチングし、切換端子Ａ２と共通端子ＣＯＭ２とが接続されるように第２の高周波信号切換スイッチ１１２をスイッチングする。
【０００８】
一方、第２のアンテナ１０２から電波を受信する場合、制御回路は、切換端子Ｂ１と共通端子ＣＯＭ１とが接続されるように第１の高周波信号切換スイッチ１１１をスイッチングし、切換端子Ａ２と共通端子ＣＯＭ２とが接続されるように第２の高周波信号切換スイッチ１１２をスイッチングする。このように、第１のアンテナ１０１または第２のアンテナ１０２から電波を受信することによって、高周波信号のダイバーシチ受信が可能となる。
【特許文献１】特開平０９−１３５１９８号公報
【特許文献２】特開平０８−００８７９７号公報
【発明の開示】
【発明が解決しようとする課題】
【０００９】
しかし、上記従来のアンテナダイバーシチ回路を用いて電波を送信する場合、送信部１２１と第１のアンテナ１０１との間に存在する二つの高周波信号スイッチ１１１，１１２を介する必要がある。したがって、二つのスイッチ回路を経由する分、伝送損失が発生してしまうという問題がある。
【００１０】
また、送信部１２１と受信部１２２とが同一のスイッチ回路１１２に接続されているので、送信部１２１から受信部１２２への電力漏洩がただ一つのスイッチ回路のアイソレーション性能のみに依存してしまうこととなる。したがって、送信部１２１から受信部１２２への電力漏洩が大きいという問題がある。
【００１１】
それゆえ、本発明の目的は、送信時の伝送損失を低減しつつ、かつ送信部から受信部への電力漏洩を低減することができるアンテナダイバーシチ回路を提供することである。
【課題を解決するための手段】
【００１２】
本発明のアンテナダイバーシチ回路は、接続される二つのアンテナから電波を受信すべき一つのアンテナを選択して、ダイバーシチ受信するためのアンテナダイバーシチ回路であって、第１のアンテナと送信部とを接続するための第１のスイッチ回路と、受信部と第１のスイッチ回路または第２のアンテナとの接続を切り換えるための第２のスイッチ回路とを備える。第１のアンテナから電波を受信する場合、第１のスイッチ回路は、第１のアンテナと第２のスイッチ回路とを接続する。この場合、第２のスイッチ回路は、第１のスイッチ回路と受信部とを接続する。第２のアンテナから電波を受信する場合、第２のスイッチ回路は、第２のアンテナと受信部とを接続する。電波を送信する場合、第１のスイッチ回路は、第１のアンテナと送信部とを接続する。この場合、第２のスイッチ回路は、第１のスイッチ回路と受信部とを接続しない。
【００１３】
これにより、送信部と第１のアンテナとは一つのスイッチ回路を介して接続されることとなる。また、送信部と受信部とは、二つのスイッチ回路を介して接続されることとなる。
【００１４】
好ましくは、第２のスイッチ回路は、電波を送信するときに第２のアンテナを無反射終端させるための無反射終端手段を含むことが望ましい。これにより、送信用の第１のアンテナから第２のアンテナに回り込んでくる送信電波が終端されることとなる。
【００１５】
また、好ましくは、第２のスイッチ回路は、電波を送信するときに受信部を無反射終端させるための無反射終端手段を含むことが望ましい。これにより、受信部への送信電波の回り込みとノイズが防止されることとなる。
【００１６】
また、第２のスイッチ回路は、受信部を接続するための受信部用スイッチと、第２のアンテナを接続するための第２のアンテナ用スイッチとを含むことが望ましい。これにより、第１のアンテナから電波を受信する場合の伝送損失と第２のアンテナから電波を受信する場合の伝送損失とをほとんど同一にすることができる。
【００１７】
具体的には、第１のスイッチ回路は、第１のアンテナが接続される共通端子と、送信部が接続される切換端子と、第２のスイッチ回路が接続される切換端子とを有する高周波信号切換スイッチである。第２のスイッチ回路は、受信部が接続される共通端子と、第２のアンテナが接続される切換端子と、第１のスイッチ回路が接続される切換端子とを含む高周波信号切換スイッチである。
【００１８】
また、具体的には、第１のスイッチ回路は、第１のアンテナが接続される共通端子と、送信部が接続される切換端子と、第２のスイッチ回路が接続される切換端子とを有する第１の高周波信号切換スイッチである。第２のスイッチ回路は、第２および第３の高周波信号切換スイッチを含む。この場合、第２の高周波信号切換スイッチは、受信部が接続される共通端子と、第１のスイッチ回路が接続される切換端子と、第３の高周波信号切換スイッチが接続される切換端子とを有する。第３の高周波信号切換スイッチは、第２のアンテナが接続される共通端子と、第２の高周波信号切換スイッチが接続される切換端子と、無反射終端部が接続される切換端子とを有する。第３の高周波信号切換スイッチは、電波を送信するときに第２のアンテナが接続される共通端子と無反射終端部が接続される切換端子とを接続する。
【００１９】
また、具体的には、第１のスイッチ回路は、第１のアンテナが接続される共通端子と、送信部が接続される切換端子と、第２のスイッチ回路が接続される切換端子とを有する第１の高周波信号切換スイッチである。第２のスイッチ回路は、第２および第３の高周波信号切換スイッチを含む。第２の高周波信号切換スイッチは、受信部が接続される共通端子と、第１のスイッチ回路が接続される切換端子と、第３の高周波信号切換スイッチが接続される切換端子とを有する。第３の高周波信号切換スイッチは、第２の高周波信号切換スイッチが接続される共通端子と、第２のアンテナが接続される切換端子と、無反射終端部が接続される切換端子とを有する。電波を送信するとき、第２の高周波信号切換スイッチは、受信部が接続される共通端子と第３の高周波信号切換スイッチが接続される切換端子とを接続する。第３の高周波信号切換スイッチは、第２の高周波信号切換スイッチが接続される共通端子と無反射終端部が接続される切換端子とを接続する。
【発明の効果】
【００２０】
以上説明したように、本発明のアンテナダイバ−シチ回路によれば、電波の送信時、送信部から第１のアンテナまでの伝送損失を低減することができ、かつ、送信部から受信部への電力漏洩を低減することができる。
【００２１】
また、無反射終端部を設けることによって、送信電波の受信側への回り込みを防止することができる。また、受信部に対するノイズを防止することができる。
【００２２】
さらに、第３の高周波信号切換スイッチを設けることにより、電波の受信時、第１のアンテナから受信部までの伝送損失と第２のアンテナから受信部までの各々の伝送損失とを同じにすることができる。
【発明を実施するための最良の形態】
【００２３】
（第１の実施形態）
図１は、本発明の第１の実施形態に係るアンテナダイバーシチ回路の構成を示すブロック図である。図１において、アンテナダイバーシチ回路は、第１のアンテナ１と、第２のアンテナ２と、第１の高周波信号切換スイッチ１１と、第２の高周波信号切換スイッチ１２と、送信部２１と、受信部２２とを備える。
【００２４】
第１の高周波信号切換スイッチ１１は、二つの切換端子ａ１，ｂ１と共通端子ｃｏｍ１とを有する。第１の高周波信号切換スイッチ１１は、いわゆる３ステートのスイッチであって、切換端子ａ１と共通端子ｃｏｍ１とが接続される第１の閉状態、切換端子ｂ１と共通端子ｃｏｍ１とが接続される第２の閉状態、および共通端子ｃｏｍ１がいずれにも接続されない開状態という３つの状態を持つ。第２の高周波信号切換スイッチ１２は、二つの切換端子ａ２，ｂ２と共通端子ｃｏｍ２とを有し、第１の高周波信号切換スイッチ１１同様、いわゆる３ステートのスイッチである。第１および第２の高周波信号切換スイッチ１１，１２は、制御回路（図示せず）からの指示に応じて、３つの状態を切り換える。
【００２５】
共通端子ｃｏｍ１には、第１のアンテナ１が接続されている。切換端子ｂ１には、送信部２１が接続されている。切換端子ａ１と切換端子ａ２とは接続されている。切換端子ｂ２には、第２のアンテナ２が接続されている。共通端子ｃｏｍ２には、受信部２２が接続されている。
【００２６】
第１のアンテナ１は、送受信兼用のアンテナである。第２のアンテナ２は、受信専用のアンテナである。
【００２７】
図２は、電波送信時におけるスイッチの切換状態を示す図である。図２に示すように、電波送信時には、制御回路の指示に応じて、第１の高周波信号切換スイッチ１１は、共通端子ｃｏｍ１と切換端子ｂ１とを接続するようにスイッチングする。第２の高周波信号切換スイッチ１２は、開状態となるようにスイッチングする。このように、電波送信時、送信部２１からの信号は、第１の高周波信号切換スイッチ１１のみ一つを介して出力されることとなる。したがって、伝送損失は、従来の回路と比べて、半分になる。また、送信部２１からの電力は、二つの高周波スイッチ１１，１２を介して、受信部２２へ漏洩することとなる。したがって、電力漏洩は、従来の回路と比べて、半分に低減される。
【００２８】
図３は、電波受信時におけるスイッチの切換状態を示す図である。図３に示すように、電波受信時には、制御回路の指示に応じて、第１の高周波信号切換スイッチ１１は、共通端子ｃｏｍ１と切換端子ａ１を接続するようにスイッチングする。第１のアンテナ１から電波を受信する場合、第２の高周波信号切換スイッチ１２は、共通端子ｃｏｍ２と切換端子ａ２とを接続するようにスイッチングする。一方、第２のアンテナ２から電波を受信する場合、第２の高周波信号切換スイッチ１２は、共通端子ｃｏｍ２と切換端子ｂ２とを接続するようにスイッチングする。
【００２９】
このように、第１の実施形態によれば、ただ一つのスイッチを介して電波が送信されることとなるので、電波の送信時、送信部から第１のアンテナまでの伝送損失が、従来のアンテナダイバーシチ回路に比べて、２分の１に低減されることとなる。さらに、二つのスイッチを介して送信部から受信部へ電力が漏洩することとなるので、従来のアンテナダイバーシチ回路に比べて、電力漏洩が２分の１に低減されることとなる。
【００３０】
なお、第１の実施形態では、第１および第２の高周波信号切換スイッチ１１，１２を３ステートのスイッチであるとしたが、いずれか一方の切換端子と共通端子とが常に接続されている２ステートのスイッチであるとしてもよい。ただし、２ステートのスイッチを用いる場合、電波送信時、第２の高周波信号切換スイッチ１２は、共通端子ｃｏｍ２と切換端子ｂ２とを接続するようにスイッチングする。これにより、送信部から受信部への電力の漏洩が、二つのスイッチを介することとなるので、電力漏洩が従来の場合に比べて２分の１に低減される。このように、送信部から受信部への電力の漏洩が、二つのスイッチを介するのであれば、第１および第２の高周波信号切換スイッチ１２は、２ステートであっても３ステートであってもよい。
【００３１】
（第２の実施形態）
図４は、本発明の第２の実施形態に係るアンテナダイバーシチ回路の構成を示すブロック図である。図４において、アンテナダイバーシチ回路は、第１のアンテナ１と、第２のアンテナ２と、第１の高周波信号切換スイッチ１３と、第２の高周波信号切換スイッチ１４と、第３の高周波信号切換スイッチ１５と、送信部２１と、受信部２２と、無反射終端部３１とを備える。なお、図４において、図１に示すアンテナダイバーシチ回路と同様の部分については同一の参照符号を付し説明を省略する。
【００３２】
第１の高周波信号切換スイッチ１３は、３ステートのスイッチであって、二つの切換端子ａ３，ｂ３と共通端子ｃｏｍ３とを有する。第２の高周波信号切換スイッチ１４は、３ステートのスイッチであって、二つの切換端子ａ４，ｂ４と共通端子ｃｏｍ４とを有する。第３の高周波信号切換スイッチ１５は、３ステートのスイッチであって、二つの切換端子ａ５，ｂ５と共通端子ｃｏｍ５とを有する。
【００３３】
共通端子ｃｏｍ３には、第１のアンテナ１が接続されている。切換端子ｂ３には、送信部２１が接続されている。切換端子ａ３には、切換端子ａ４が接続されている。共通端子ｃｏｍ４には、受信部２２が接続されている。切換端子ｂ４には、切換端子ｂ５が接続されている。切換端子ａ５には、無反射終端部３１が接続されている。共通端子ｃｏｍ５には、第２のアンテナ２が接続されている。
【００３４】
無反射終端部３１は、５０Ω程度の終端抵抗であって、信号の反射を防止する。無反射終端部３１は、接地されている。
【００３５】
図５は、電波送信時におけるスイッチの切換状態を示す図である。図５に示すように、電波送信時には、制御回路の指示に応じて、第１の高周波信号切換スイッチ１３は、共通端子ｃｏｍ３と切換端子ｂ３とを接続するようにスイッチングする。また、第２の高周波信号切換スイッチ１２は、開状態となるようにスイッチングする。さらに、第３の高周波信号切換スイッチ１５は、共通端子ｃｏｍ５と切換スイッチａ５とを接続するようにスイッチングする。
【００３６】
図６は、電波受信時におけるスイッチの切換状態を示す図である。図６に示すように、電波受信時には、制御回路からの指示に応じて、第１の高周波信号切換スイッチ１３は、共通端子ｃｏｍ３と切換端子ａ３とを接続するようにスイッチングする。第３の高周波信号切換スイッチ１５は、共通端子ｃｏｍ５と切換端子ｂ５とを接続するようにスイッチングする。第１のアンテナ１から電波を受信する場合、第２の高周波信号切換スイッチ１４は、共通端子ｃｏｍ４と切換端子ａ４とを接続するようにスイッチングする。一方、第２のアンテナ２から電波を受信する場合、第２の高周波信号切換スイッチ１４は、共通端子ｃｏｍ４と切換端子ｂ４とを接続するようにスイッチングする。
【００３７】
このように、第２の実施形態によれば、電波送信時、送信部２１からの信号は、第１の高周波信号切換スイッチ１３のみ一つを介して出力されることとなる。したがって、伝送損失は、従来の回路と比べて、半分になる。
【００３８】
また、送信部２１からの電力は、二つの高周波信号切換スイッチ１３，１４を介して、受信部２２へ漏洩することとなる。したがって、電力漏洩は、従来の回路と比べて、半分に低減される。
【００３９】
また、第１のアンテナ１から出力された電波は、第２のアンテナ２に回り込むこととなるが、共通端子ｃｏｍ５と切換端子ａ５とが接続されており、かつ切換端子ａ５には、無反射終端部３１が接続されているので、第２のアンテナ２に回り込んだ電波は終端されることとなる。よって、受信部２２への送信電波の回り込みが防止されることとなる。
【００４０】
また、電波の受信時、第１のアンテナ１から受信部２２までの伝送損失と、第２のアンテナ２から受信部２２までの伝送損失とを同じにすることができる。
【００４１】
なお、第２の実施形態では、第１、第２および第３の高周波信号切換スイッチ１３，１４，１５は３ステートのスイッチであるとしたが、２ステートのスイッチであってもよい。この場合、電波の送信時、第２の高周波信号切換スイッチ１４は、共通端子ｃｏｍ４と切換端子ｂ４とを接続するようにスイッチングする。このように、送信部から受信部への電力の漏洩が、二つのスイッチを介するのであれば、第１、第２および第３の高周波信号切換スイッチ１３，１４，１５は、２ステートであっても３ステートであってもよい。なお、この場合、第３の高周波信号切換スイッチ１５において、共通端子ｃｏｍ５と切換端子ａ５とが接続され、終端されているので、送信電波の回り込みも問題とならない。
【００４２】
なお、第１の高周波信号切換スイッチ１３を第１のスイッチ回路ととらえ、第２および第３の高周波信号切換スイッチ１４，１５を第２のスイッチ回路ととらえて、高周波以外の信号をダイバーシチ受信するためのダイバーシチアンテナ回路としてもよい。この場合、第２のスイッチ回路には、受信部と第１のアンテナ回路とを接続するための手段、受信部と第２のアンテナとを接続するための手段、および送信時に第２のアンテナを無反射終端するための手段があればよい。
【００４３】
（第３の実施形態）
図７は、本発明の第３の実施形態に係るアンテナダイバーシチ回路の構成を示すブロック図である。図７において、アンテナダイバーシチ回路は、第１のアンテナ１と、第２のアンテナ２と、第１の高周波信号切換スイッチ１６と、第２の高周波信号切換スイッチ１７と、第３の高周波信号切換スイッチ１８と、送信部２１と、受信部２２と、無反射終端部３１とを備える。なお、図７において、図４に示すアンテナダイバーシチ回路と同様の部分については同一の参照符号を付し説明を省略する。
【００４４】
第１の高周波信号切換スイッチ１６は、３ステートのスイッチであって、二つの切換端子ａ６，ｂ６と共通端子ｃｏｍ６とを有する。第２の高周波信号切換スイッチ１７は、３ステートのスイッチであって、二つの切換端子ａ７，ｂ７と共通端子ｃｏｍ７とを有する。第３の高周波信号切換スイッチ１８は、３ステートのスイッチであって、二つの切換端子ａ８，ｂ８と共通端子ｃｏｍ８とを有する。
【００４５】
共通端子ｃｏｍ６には、第１のアンテナ１が接続されている。切換端子ｂ６には、送信部２１が接続されている。切換端子ａ６には、切換端子ａ７が接続されている。共通端子ｃｏｍ７には、受信部２２が接続されている。切換端子ｂ７には、共通端子ｃｏｍ８が接続されている。切換端子ａ８には、無反射終端部３１が接続されている。切換端子ｂ８には、第２のアンテナ２が接続されている。
【００４６】
図８は、電波送信時におけるスイッチの切換状態を示す図である。図８に示すように、電波送信時には、制御回路の指示に応じて、第１の高周波信号切換スイッチ１６は、共通端子ｃｏｍ６と切換端子ｂ６とを接続するようにスイッチングする。また、第２の高周波信号切換スイッチ１７は、共通端子ｃｏｍ７と切換端子ｂ７とを接続するようにスイッチングする。さらに、第３の高周波信号切換スイッチ１８は、共通端子ｃｏｍ８と切換端子ａ８とを接続するようにスイッチングする。
【００４７】
図９は、電波受信時におけるスイッチの切換状態を示す図である。図９に示すように、電波受信時には、制御回路からの指示に応じて、第１の高周波信号切換スイッチ１６は、共通端子ｃｏｍ６と切換端子ａ６とを接続するようにスイッチングする。第３の高周波信号切換スイッチ１８は、共通端子ｃｏｍ８と切換端子ｂ８とを接続するようにスイッチングする。第１のアンテナから電波を受信する場合、第２の高周波信号切換スイッチ１７は、共通端子ｃｏｍ７と切換端子ａ７とを接続するようにスイッチングする。一方、第２のアンテナ２から電波を受信する場合、第２の高周波信号切換スイッチ１７は、共通端子ｃｏｍ７と切換端子ｂ７とを接続するようにスイッチングする。
【００４８】
このように、第３の実施形態によれば、電波送信時、送信部２１からの信号は、第１の高周波信号切換スイッチ１７のみ一つを介して出力されることとなる。しがたって、伝送損失は、従来の回路と比べて、半分になる。
【００４９】
また、送信部２１からの電力は、二つの高周波信号切換スイッチ１６，１７を介して、受信部２２へ漏洩することとなる。したがって、電力漏洩は、従来の回路と比べて、半分に低減される。
【００５０】
また、第１のアンテナ１から出力された電波は、第２のアンテナに回り込むこととなるが、受信部２２と無反射終端部３１とが接続されているので、受信部２２への送信電波の回り込みが防止されることとなる。また、受信部２２がオープンとならないので、ノイズの影響も防止できる。
【００５１】
また、電波の受信時、第１のアンテナ１から受信部２２までの伝送損失と、第２のアンテナ２から受信部２２までの伝送損失とを同じにすることができる。
【００５２】
なお、第３の実施形態では、第１、第２および第３の高周波信号切換スイッチ１６，１７，１８は３ステートのスイッチであるとしたが、２ステートのスイッチであってもよい。この場合も上記同様、電波の送信時、第２の高周波信号切換スイッチ１７は、共通端子ｃｏｍ７と切換端子ｂ７とを接続するようにスイッチングする。このように、送信部から受信部への電力の漏洩が、二つのスイッチを介するのであれば、第１、第２および第３の高周波信号切換スイッチ１６，１７，１８は、２ステートであっても３ステートであってもよい。
【００５３】
なお、第１の高周波信号切換スイッチ１６を第１のスイッチ回路ととらえ、第２および第３の高周波信号切換スイッチ１７，１８を第２のスイッチ回路ととらえて、高周波以外の信号をダイバーシチ受信するためのダイバーシチアンテナ回路としてもよい。この場合、第２のスイッチ回路には、受信部と第１のアンテナ回路とを接続するための手段、受信部と第２のアンテナとを接続するための手段、および送信時に受信部を無反射終端するための手段があればよい。
【図面の簡単な説明】
【００５４】
【図１】本発明の第１の実施形態に係るアンテナダイバーシチ回路の構成を示すブロック図である。
【図２】第１の実施形態において、電波送信時におけるスイッチの切換状態を示す図である。
【図３】第１の実施形態において、電波受信時におけるスイッチの切換状態を示す図である。
【図４】本発明の第２の実施形態に係るアンテナダイバーシチ回路の構成を示すブロック図である。
【図５】第２の実施形態において、電波送信時におけるスイッチの切換状態を示す図である。
【図６】第２の実施形態において、電波受信時におけるスイッチの切換状態を示す図である。
【図７】本発明の第３の実施形態に係るアンテナダイバーシチ回路の構成を示すブロック図である。
【図８】第３の実施形態において、電波送信時におけるスイッチの切換状態を示す図である。
【図９】第３の実施形態において、電波受信時におけるスイッチの切換状態を示す図である。
【図１０】従来のアンテナダイバーシチ回路の構成を示すブロック図である。
【符号の説明】
【００５５】
１  第１のアンテナ
２  第２のアンテナ
１１，１３，１６  第１の高周波信号切換スイッチ
１２，１４，１７  第２の高周波信号切換スイッチ
１３，１５，１８  第３の高周波信号切換スイッチ
２１  送信部
２２  受信部
３１  無反射終端部
ｃｏｍ１〜ｃｏｍ８  共通端子
ａ１〜ａ８，ｂ１〜ｂ８  切換端子
【図１】
2005033677.tif 000003
【図２】
2005033677.tif 000004
【図３】
2005033677.tif 000005
【図４】
2005033677.tif 000006
【図５】
2005033677.tif 000007
【図６】
2005033677.tif 000008
【図７】
2005033677.tif 000009
【図８】
2005033677.tif 000010
【図９】
2005033677.tif 000011
【図１０】
2005033677.tif 000012